(57)【要約】  撮影機材のセッティングにかかる手間と時間を減少させることが可能なスイッチャーシステムに関する。  本発明によれば、スイッチャーと、複数のビューファインダーとを備えるスイッチャーシステムであって、前記スイッチャーは、タリー信号が重畳されたデジタル映像信号を出力し、前記ビューファインダーのそれぞれは、前記デジタル映像信号の入力を受け付ける外部デジタル映像入力部と、前記デジタル映像信号に重畳されたタリー信号に基づいてタリー表示を制御するタリー表示制御部とを備えるスイッチャーシステムが提供される。
2012014917.tif 000002
【特許請求の範囲】
【請求項１】
スイッチャーと、複数のビューファインダーとを備えるスイッチャーシステムであって、
前記スイッチャーは、タリー信号が重畳されたデジタル映像信号を出力し、
前記ビューファインダーのそれぞれは、前記デジタル映像信号の入力を受け付ける外部デジタル映像入力部と、前記デジタル映像信号に重畳されたタリー信号に基づいてタリー表示を制御するタリー表示制御部とを備えるスイッチャーシステム。
【請求項２】
前記スイッチャーは、複数のデジタル映像信号の入力を受け付けるデジタル映像入力部と、前記デジタル映像入力部に入力されたデジタル映像信号のうちの一つを選択する映像選択部と、前記映像選択部が選択したデジタル映像信号に対して識別子を含むタリー信号を重畳させる信号重畳部と、前記タリー信号が重畳されたデジタル映像信号を出力するデジタル映像出力部とを備える請求項１に記載のシステム。
【請求項３】
前記識別子は、前記デジタル映像信号を出力したビデオカメラの識別子である請求項２に記載のシステム。
【請求項４】
前記ビューファインダーのそれぞれは、自己の識別子を記憶する記憶部をさらに備え、
前記タリー表示制御部は、前記タリー信号中の識別子が、前記記憶部に記憶された識別子と一致した場合にタリー表示を点灯させる請求項２に記載のシステム。
【請求項５】
前記スイッチャーは、制御信号の入力を受け付ける制御信号入力部をさらに備え、
前記映像選択部は、前記制御信号に基づいてデジタル映像信号の選択を行う請求項２に記載のシステム。
【請求項６】
前記タリー信号は、発光色情報を含み、
前記タリー表示制御部は、前記発光色情報に基づいて前記タリー表示の発光色を制御する請求項１に記載のシステム。
【請求項７】
前記デジタル映像信号は、ＳＤＩ信号である請求項１に記載のシステム。
【請求項８】
前記スイッチャーは、音声信号の入力を受け付ける音声入力部をさらに備え、
前記スイッチャーの前記信号重畳部は、前記デジタル映像信号に対して音声信号を重畳させ、前記スイッチャーの前記デジタル映像出力部は、前記タリー信号及び前記音声信号が重畳されたデジタル映像信号を出力し、
前記ビューファインダーのそれぞれは、前記デジタル映像信号に重畳された音声信号に基づく音声を出力する音声出力部をさらに備える請求項１に記載のシステム。
【請求項９】
前記ビューファインダーのそれぞれは、ビデオカメラからのデジタル映像信号の入力を受け付けるカメラデジタル映像入力部と、音声信号の入力を受け付ける音声入力部と、前記デジタル映像信号に対して前記音声信号を重畳させる信号重畳部と、前記音声信号が重畳されたデジタル映像信号を出力するカメラデジタル映像出力部をさらに備え、
前記スイッチャーは、前記デジタル映像信号に重畳された音声信号に基づく音声を出力する音声出力部をさらに備える請求項１に記載のシステム。
【請求項１０】
前記外部デジタル映像入力部は、ＢＮＣコネクタを備える請求項１に記載のシステム。
【請求項１１】
前記ビューファインダーのそれぞれは、ビデオカメラからのデジタル映像信号の入力を受け付けるカメラデジタル映像入力部と、制御信号の入力を受け付ける制御信号入力部と、前記制御信号に基づいて前記ビデオカメラからのデジタル映像信号による映像と前記外部デジタル映像入力部からのデジタル映像信号による映像の何れかを選択する映像選択部と、前記映像選択部が選択した映像の表示を制御する表示制御部とを備える請求項１に記載のシステム。
【請求項１２】
タリー信号が重畳された外部デジタル映像信号の入力を受け付ける外部デジタル映像入力部と、前記外部デジタル映像信号に重畳されるタリー信号に基づいてタリー表示を制御するタリー表示制御部とを備えるビューファインダー。
【発明の詳細な説明】
【技術分野】
【０００１】
本発明は、スイッチャーと、複数のビューファインダーとを備えるスイッチャーシステムと、このスイッチャーシステムに好適に利用されるビューファインダーに関する。
【背景技術】
【０００２】
一般に、テレビ放送の撮影時には複数の放送用のビデオカメラがスイッチャーに接続される。スイッチャーの操作者は、複数のビデオカメラからの映像を同時に見て、どのビデオカメラからの映像を採用するのかを決定する。興味深いテレビ番組を作成するには、放送の対象をズームアップした映像や、逆に現場の臨場感を演出するために放送される場面全体の映像などが必要である。各カメラマンが自発的に判断して多種多様な映像をスイッチャーに届けるためには、スイッチャーが採用している映像をカメラマンが容易に確認することができる機能が必要である。このような機能があれば、カメラマンは、スイッチャーが採用している映像とは異なる映像を撮影することが容易になるからである。このため、放送用のビデオカメラは、一般に、スイッチャーからのリターン映像を入力でき、ビデオカメラに装着されたレンズのリターンボタン又はビデオカメラに接続されたレンズにズームリモコンコネクタを装着することにより、ビデオカメラに装着されたレンズを介在してリターンボタンを押してビューファインダーの映像表示を、現在撮影している映像と、スイッチャーからのリターン映像とを切替える機能を有している。
【発明の概要】
【発明が解決しようとする課題】
【０００３】
ところで、複数のビデオカメラとスイッチャーを用いて撮影を行うには、各ビデオカメラとスイッチャーとの間で、映像信号、リターン信号、タリー信号、インターカム信号を別々に配線しなければならない。そのため、撮影機材のセッティングに多くの時間と手間がかかっていた。【０００４】
本発明はこのような事情に鑑みてなされたものであり、撮影機材のセッティングにかかる手間と時間を減少させることが可能なスイッチャーシステムに関する。
【課題を解決するための手段】
【０００５】
本発明によれば、スイッチャーと、複数のビューファインダーとを備えるスイッチャーシステムであって、前記スイッチャーは、タリー信号が重畳されたデジタル映像信号を出力し、前記ビューファインダーのそれぞれは、前記デジタル映像信号の入力を受け付ける外部デジタル映像入力部と、前記デジタル映像信号に重畳されたタリー信号に基づいてタリー表示を制御するタリー表示制御部とを備えるスイッチャーシステムが提供される。【０００６】
本発明では、スイッチャーは、タリー信号が重畳されたデジタル映像信号を出力し、ビューファインダーは、このデジタル映像信号に含まれるタリー信号に基づいてタリー表示を制御する（例：タリーランプのオンオフを切り替えたり、タリーランプの発光色を決定したりする。）。このため、映像信号用の配線とタリー信号用の配線を兼用することができ、撮影機材のセッティングにかかる手間と時間を減少させることができる。【０００７】
前記スイッチャーは、好ましくは、複数のビデオカメラから出力されたデジタル映像信号の入力を受け付けるデジタル映像入力部と、前記デジタル映像入力部に入力されたデジタル映像信号のうちの一つを選択する映像選択部と、前記映像選択部が選択したデジタル映像信号に対して識別子を含むタリー信号を重畳させる信号重畳部と、前記タリー信号が重畳されたデジタル映像信号を出力するデジタル映像出力部とを備える。前記識別子は、好ましくは、前記デジタル映像信号を出力したビデオカメラの識別子である。好ましくは、前記ビューファインダーのそれぞれは、自己の識別子を記憶する記憶部をさらに備え、前記タリー表示制御部は、前記タリー信号中の識別子が、前記記憶部に記憶された識別子と一致した場合にタリー表示を点灯させる。このような構成にすることによって、タリー信号に含まれる識別子に一致したビューファインダーにおいてのみタリー表示を点灯させることができる。「識別子」とは、例えば、番号や記号など、ビューファインダーの識別が可能なものである。識別子は、ビューファインダーに固有のものであってもよく、自由に設定変更可能なものであってもよい。【０００８】
好ましくは、前記ビューファインダーのそれぞれは、前記デジタル映像信号からタリー信号を分離する信号分離部を備え、前記ビューファインダーの前記タリー表示制御部は、分離されたタリー信号に基づいてタリー表示を制御する。【０００９】
好ましくは、前記スイッチャーは、制御信号の入力を受け付ける制御信号入力部をさらに備え、
記映像選択部は、前記リターン信号に基づいてデジタル映像信号の選択を行う。このように構成することにより、カメラマンは、スイッチャーを遠隔操作することができ、一人で２台のカメラを操作することが可能になる。また、一例では、制御信号入力部は、リターン信号を含む制御信号の入力を受け付け、前記スイッチャーは、前記リターン信号を除いた制御信号を出力する制御信号出力部をさらに備え、前記制御信号出力部から出力された制御信号がビデオカメラ（好ましくは、ビデオカメラのズームレンズ）に入力される。この場合、１つのリモコンを用いて、スイッチャーと、ビデオカメラの操作を行うことができる。【００１０】
好ましくは、前記タリー信号は、発光色情報を含み、前記タリー表示制御部は、前記発光色情報に基づいて前記タリー表示の発光色を制御する。この場合、タリー信号用の配線を複数本設けることなく、複数色のタリー表示を実現することができる。【００１１】
一例では、前記デジタル映像信号は、ＳＤＩ信号（例：ＨＤ−ＳＤＩ信号、ＳＤ−ＳＤＩ、３Ｇ−ＳＤＩ信号）である。なお、デジタル映像信号は、ＨＤＭＩ信号、３Ｄなど、他の方式のデジタル信号であってもよい。【００１２】
好ましくは、前記スイッチャーは、音声信号の入力を受け付ける音声入力部をさらに備え、前記スイッチャーの前記信号重畳部は、前記デジタル映像信号に対して音声信号を重畳させ、前記スイッチャーの前記デジタル映像出力部は、前記タリー信号及び前記音声信号が重畳されたデジタル映像信号を出力し、前記ビューファインダーのそれぞれは、前記デジタル映像信号に重畳された音声信号に基づく音声を出力する音声出力部をさらに備える。
さらに、好ましくは、前記ビューファインダーのそれぞれは、ビデオカメラからのデジタル映像信号の入力を受け付けるカメラデジタル映像入力部と、音声信号の入力を受け付ける音声入力部と、前記デジタル映像信号に対して前記音声信号を重畳させる信号重畳部と、前記音声信号が重畳されたデジタル映像信号を出力するカメラデジタル映像出力部をさらに備え、前記スイッチャーは、前記デジタル映像信号に重畳された音声信号に基づく音声を出力する音声出力部をさらに備える。
音声信号とは、例えばインターカム音声であり、このような構成を備えることにより、配線を別途設けることなく、インターカムシステムを構築することができる。デジタル映像信号に重畳されるのはデジタル信号であり、音声出力されるのは、アナログ信号なので、ＡＤ変換部及びＤＡ変換部が適宜設けられる。また、前記ビューファインダーのそれぞれは、前記デジタル映像信号から音声信号を分離する信号分離部をさらに備えてもよい。前記スイッチャーは、前記デジタル映像信号から音声信号を分離する信号分離部をさらに備えてもよい。【００１３】
一例では、前記外部デジタル映像入力部は、ＢＮＣコネクタを備える。本実施形態のシステムは、このような汎用のコネクタを用いて構築可能である。【００１４】
好ましくは、前記ビューファインダーのそれぞれは、ビデオカメラからのデジタル映像信号の入力を受け付けるカメラデジタル映像入力部と、制御信号の入力を受け付ける制御信号入力部と、前記制御信号に基づいて前記ビデオカメラからのデジタル映像信号による映像と前記外部デジタル映像入力部からのデジタル映像信号による映像の何れかを選択する映像選択部と、前記映像選択部が選択した映像の表示を制御する表示制御部とを備える。この場合、ビューファインダーに制御信号を入力することによって、ビデオカメラからの映像とスイッチャーからの映像のどちらを表示させるのかを容易に制御することができる。
【図面の簡単な説明】
【００１５】
【図１】本発明の一実施形態のスイッチャーシステムの概要を示す構成図である。
【図２】図１のスイッチャーシステムのビューファインダーとカメラの構成を示す接続図である。
【図３】図１のスイッチャーシステムのビューファインダーの（ａ）正面図、（ｂ）裏面図である。
【図４】図１のスイッチャーシステムのビューファインダーの内部構成を示すブロック図である。
【図５】図１のスイッチャーシステムのビューファインダーの内部構成の別例を示すブロック図である。
【図６】図１のスイッチャーシステムのスイッチャーの内部構成を示すブロック図である。
【図７】図１のスイッチャーシステムのスイッチャーの操作パネスを示すブロック図である。
【図８】図１のスイッチャーシステムの具体的構成を示す構成図である。
【図９】図１のスイッチャーシステムの具体的構成を示す回路図である。
【図１０】図９の回路図のタリー信号とＳＤＩ信号との重畳回路の詳細図である。
【図１１】本発明の一実施形態のスイッチャーシステムでの映像切替えをズームリモコンで動作させる動作回路の構成を示す回路図である。
【図１２】本発明の一実施形態のスイッチャーシステムで利用可能なズームリモコン装置を示す図である。
【図１３】本発明の一実施形態のスイッチャーシステムで利用可能なペン型スイッチ装置を示す図である。
【発明を実施するための形態】
【００１６】
１．スイッチャーシステム
以下、図１〜図１３を用いて、本発明の一実施形態のスイッチャーシステムについて説明する。
【００１７】
１−１．スイッチャーシステムの概要
図１は、本実施形態のスイッチャーシステム１の概要を示す。図１では、図示の便宜上、最小限の配線のみを示している。図１に示すように、本実施形態のスイッチャーシステムは、スイッチャー３と、複数のビューファインダー５とを備える。本実施形態では、スイッチャー３は、２つの装置を図１に示すように配線で接続して１つのスイッチャーとして機能させている。全ての機能を１つの装置に組み込んで、１つの装置でスイッチャー３を構成してもよい。
【００１８】
スイッチャー３は、複数のビデオカメラ１１からのカメラデジタル映像信号を受け取るように構成されており、各ビデオカメラ１１にビューファインダー５が設けられている。
【００１９】
スイッチャー３では、複数のビデオカメラ１１からのカメラデジタル映像信号のうちの一つを選択し、選択したデジタル映像信号に対してタリー信号を重畳させたものを外部デジタル映像信号として出力する。従来は、タリー信号を送るために別にケーブルの配線を行っていたが、本実施形態では、タリー信号が映像信号と同じケーブルを用いて送信されるので、タリー信号用のケーブルが不要になる。
また、ビューファインダー５及びスイッチャー３には、それぞれ、音声入出力部（例：ヘッドセット）４３、４４が接続されている。音声入出力部４３に入力された音声は、カメラデジタル映像信号に重畳されてスイッチャー３に送られ、スイッチャーで音声信号が分離されて、音声入出力部４４に出力される。同様に、音声入出力部４４に入力された音声は、外部デジタル映像信号に重畳されてビューファインダー５に送られ、ビューファインダー５で音声信号が分離されて、音声入出力部４３に出力される。このように、映像信号を送信するためのケーブルを用いて音声信号が送信されるので、音声信号用のケーブルが不要になる。
【００２０】
スイッチャー３が出力した外部デジタル映像信号には、タリー信号が重畳されている。ビューファインダー５は、入力された外部デジタル映像信号からタリー信号を分離し、タリー信号に基づいてタリー表示を制御する。
スイッチャー３は、複数のビューファインダー５に対して互いに異なるタリー信号を含むデジタル映像信号を出力してもよく、全てのビューファインダー５に対して同じタリー信号を含むデジタル映像信号を出力してもよい。
前者の場合、タリー表示を点灯させるビューファインダー５にのみ、点灯を指示するタリー信号を含ませ、それ以外のビューファインダー５には、消灯を指示するタリー信号を含ませる。
後者の場合、タリー信号に識別子を含ませ、ビューファインダー５は、タリー信号中の識別子が自己の識別子と一致している場合に、タリー信号に基づいてタリー表示を制御する。以下、６台のビデオカメラ１１がスイッチャー３に接続されている場合を例に挙げて、より具体的に説明する。６台のビデオカメラ１１の識別子は、例えば、１，２，３，４，５，６であり、各ビデオカメラ１１に取り付けられているビューファインダー５には、ビデオカメラと同じ識別子が割り振られる。スイッチャー３からのタリー信号としては、例えば、「現在映像を使用中」を示すタリー信号（以下、「第１タリー信号」）や「次に映像を使用予定」を示すタリー信号（以下、「第２タリー信号」）が含まれる。それぞれのタリー信号に識別子が含められる。例えば、現在、識別子が２のビデオカメラ１１の映像を使用中であり、次に識別子が４のビデオカメラ１１の映像が使用される場合、第１タリー信号には識別子２が割り振られ、第２タリー信号には識別子４が割り振られる。このようなタリー信号を含むデジタル映像信号がスイッチャー３から全てのビューファインダー５に入力される。ビューファインダー５は、タリー信号中の識別子を読み取って自己の識別子と一致しているかどうかを確認し、一致している場合には、タリー信号に従ってタリー表示を行う。例えば、識別子が１であるビューファインダー５は、第１タリー信号と第２タリー信号のどちらの識別子にも一致しないのでタリー表示を行わない。一方、識別子が２のビューファインダー５は、第１タリー信号の識別子が２であることを確認すると、タリー表示を例えば赤色に点灯させる。また、識別子が４のビューファインダー５は、第２タリー信号の識別子が４であることを確認すると、タリー表示を例えば緑色に点灯させる。
【００２１】
１−２．スイッチャーシステムの詳細
以下、本実施形態のスイッチャーシステム１を詳細に説明する。
【００２２】
（１）ビューファインダー５及びビデオカメラ１１
まず、図２〜図５を用いて、スイッチャーシステム１に用いるビューファインダー５及びビデオカメラ１１について説明する。
【００２３】
図２に示すように、ビデオカメラ１１は、三脚４５上にマウントされており、ビューファインダー５は、ビデオカメラ１１上にマウントされている。ビデオカメラ１１とビューファインダー５のマウント方法はここで示すものに限定されず、別の方法でマウントしてもよい。例えば、板状のアダプタの一端をビデオカメラ１１と三脚４５の間に固定し、ビューファインダー５のアダプタの他端に固定してもよい。この場合、ビデオカメラ１１でのブレを抑制することができる。ビデオカメラ１１から出力された映像信号（例：ＳＤＩ出力コネクタから出力されたＳＤＩ信号）は、ケーブル４７を介して、ビューファインダー５に入力される。また、図示はしていないが、ビューファインダー５は、ケーブルを介して、ビデオカメラ１１から給電可能である。さらに、ビューファインダー５には、音声入出力部（例：ヘッドセット）４３が接続されている。後述するが、音声入出力部４３から入力された音声信号は、ビデオカメラ１１から出力された映像信号に重畳されてスイッチャー３に向けて出力される。また、スイッチャー３からの映像信号に音声信号が重畳されている場合には、音声信号が分離されて音声入出力部４３から出力される。
【００２４】
次に、図３（ａ）（ｂ）を用いて、ビューファインダー５の外観やコネクタ配置について説明する。図３（ａ）（ｂ）は、それぞれ、ビューファインダー５の正面図及び裏面図である。
ビューファインダー５は、図３（ａ）に示すように、正面側に、箱状の本体部４８に、液晶表示部５１と、タリー表示部４９と、ブライト調整機能５３と、コントラスト調整機能５５と、ピーキング調整機能５７が設けられている。また、ビューファインダー５の裏面側には、図３（ｂ）に示すように、タリー表示部５９と、カメラデジタル映像入力コネクタ６３と、外部デジタル映像（スイッチャーからのリターン映像）入力コネクタ６５と、タリー入力コネクタ７１と、電源入力端子７３と、アナログオーディオコネクタ６７，６９と、カメラデジタル映像出力コネクタ６１が設けられている。電源入力端子７３にはビデオカメラ１１からの電源ケーブルが接続される。また、タリー入力コネクタ７１は、省略可能であるが、スイッチャー３がタリー信号が重畳されたデジタル映像信号を出力しないタイプのものである場合は、別途設けたタリー信号用のケーブルを接続するために用いられる。映像入力コネクタ・映像出力コネクタは、例えば、ＢＮＣコネクタを備える。
【００２５】
次に、図４を用いてビューファインダー５の内部構成について説明する。図４に示すように、ビューファインダー５は、スイッチャー３からの外部デジタル映像信号の入力を受け付ける外部デジタル映像入力部７を有しており、外部デジタル映像入力コネクタ６５を介して外部デジタル映像信号が入力される。外部デジタル映像信号には、識別子を含むタリー信号と、音声信号とが重畳されており、分離部２０において、映像信号と、タリー信号と、音声信号に分離される。映像信号は、表示制御部５０に送られ、表示制御部５０は、この映像信号に基づいて液晶表示部５１での表示を制御する。表示制御部５０は、ブライト調整機能５３と、コントラスト調整機能５５と、ピーキング調整機能５７によって調整されたブライド、コントラスト、ピーキングのレベルに従って映像を表示する。タリー信号は、タリー表示制御部９に送られる。本実施形態では、タリー信号には、識別子が含まれており、タリー表示制御部９は、タリー信号中の識別子と、記憶部２１に記憶されている識別子を照合し、これらが一致した場合に、タリー信号に基づいてタリー表示部４９，５９の点灯を制御する。従って、記憶部２１には、予め、ビューファインダー５を取り付けるビデオカメラ１１の識別子（例：ＩＤ番号）を記憶させておく。また、タリー信号中に発光色情報を含ませ、この情報に基づいて、タリー表示部４９，５９での点灯色を変化させるようにしてもよい。タリー信号に識別子が含まれていない場合には、タリー表示制御部９は、タリー信号に基づいてタリー表示部４９，５９の点灯を制御する。この場合、記憶部２１は不要である。
音声信号は、音声出力部２７に送られ、ＤＡ変換によって得られたアナログの音声信号をアナログオーディオコネクタ６７，６９を介して音声入出力部４３に出力する。このような構成によって、１本の信号線で映像信号、タリー信号、音声信号を送ることが可能であり、現場での配線の手間を省くことができる。
【００２６】
また、ビューファインダー５は、ビデオカメラ１１からのデジタル映像信号の入力を受け付けるカメラデジタル映像入力部２９を有しており、カメラデジタル映像入力コネクタ６３を介してカメラデジタル映像信号が入力される。また、ビューファインダー５は、音声信号の入力を受け付ける音声入力部３１を有しており、アナログオーディオコネクタ６７，６９を介して音声信号が入力される。入力された音声信号は、信号重畳部３３において、ＡＤ変換されてカメラデジタル映像信号に重畳され、カメラデジタル映像出力部３５からカメラデジタル映像出力コネクタ６１を介して外部に出力される。出力された信号は、スイッチャー３に送られる。このような構成によって、１本の信号線で映像信号及び音声信号を送ることが可能であり、現場での配線の手間を省くことができる。
【００２７】
なお、本実施形態では、外部デジタル映像信号の映像をそのまま液晶表示部５１に表示する例を示しているが、ビューファインダー５には、外部デジタル映像信号とカメラデジタル映像信号の両方が入力されているので、これらの映像を適宜切り替えることができるように構成してもよい。このような機能を実現するために、図５に示すように、制御信号の入力を受け付ける制御信号入力部２３と、前記制御信号に基づいてビデオカメラ１１からのデジタル映像信号による映像と前記外部デジタル映像入力部７からのデジタル映像信号による映像の何れかを選択する映像選択部３９と、映像選択部３９が選択した映像の表示を制御する表示制御部５０とを設けることができる。
【００２８】
（２）スイッチャー３
次に、図６を用いて、スイッチャーシステム１に用いるスイッチャー３について説明する。
【００２９】
図６に示すように、スイッチャー３は、複数のカメラデジタル映像信号の入力を受け付けるデジタル映像入力部１３と、映像選択部１５と、信号重畳部１７と、デジタル映像出力部１９と、音声入力部２５と、分離部２０と、音声出力部３７と、制御信号入力部２３を有する。カメラデジタル映像信号は、ビデオカメラ１１からの映像信号であり、通常は、ビューファインダー５において音声信号が重畳された後にスイッチャー３に入力される。映像選択部１５では、複数のカメラデジタル映像信号のうちの一つが選択され、選択されたカメラデジタル映像信号が信号重畳部１７に送られる。映像選択部１５が選択する映像は、図７に示すスイッチャー３の操作パネルにおいて、プログラム列カメラ１選択ボタンｘ１〜プログラム列カメラ６選択ボタンｘ６、及びプレビュー列カメラ１選択ボタンｙ１〜プレビュー列カメラ６選択ボタンｙ６を用いて指定することができる。例えば、プログラム列カメラ２選択ボタンｘ２が押されると、識別子が２のビデオカメラ１１の映像が選択される。このとき、識別子が２であるタリー信号が生成され、信号重畳部１７において、カメラデジタル映像信号にタリー信号が重畳される。音声入出力部４４からのアナログ音声信号は、音声入力部２５に入力され、ＡＤ変換された後、信号重畳部１７においてデジタル映像信号に重畳される。タリー信号及び音声信号が重畳されたデジタル映像信号は、デジタル映像出力部１９から外部デジタル映像信号としてビューファインダー５に対して出力される。以上の構成により、１本の信号線を用いて、映像信号、タリー信号、及び音声信号をビューファインダー５に送ることができる。
【００３０】
また、各カメラデジタル映像信号は、分離部２０に送られ、音声信号が分離される。分離された音声信号は、ＤＡ変換された後、音声出力部３７から音声入出力部４４に出力される。これによって、ビューファインダー５からの音声を聞くことができる。
映像選択部１５が選択する映像は、図７に示す操作パネルで指定する以外に、制御信号入力部２３に、外部から制御信号を入力することによって決定することも可能である。
【００３１】
１−３．スイッチャーシステムの具体的構成
次に、図８〜図１２を用いて、本発明のスイッチャーシステムのさらに具体的な構成を説明する。
【００３２】
まず、図８〜図９を用いて、スイッチャーシステム全体の信号の流れを説明する。
ビデオカメラ１１から出力された映像信号（例：ＨＤ−ＳＤＩ映像信号）は、ケーブル４７を介してビューファインダー５に入力される。ビューファインダー５には、音声入出力部（インカムヘッドセット）４３からの音声信号（インターカムオーディオ信号）が入力されており、ビューファインダー５は、音声信号を映像信号に重畳させたものを、ケーブルｈ１，ｈ２を介して、スイッチャー３に出力する。このような構成によって、１本のケーブルｈ１，ｈ２を用いて映像信号と音声信号と送ることで可能になり、配線の手間を少なくすることができる。
【００３３】
スイッチャー３は、映像選択部ｆ１と信号混合部（変換ボックス）ｅ１とで構成される。映像選択部ｆ１は、６つの映像信号入力コネクタｎ１〜ｎ６を有している。映像信号入力コネクタｎ１〜ｎ６には、ビューファインダー５からの、音声信号が重畳された映像信号が入力される。この映像信号は、映像信号スルー出力コネクタｎ７〜ｎ１２からスルー出力される。映像信号スルー出力コネクタｎ７〜ｎ１２から出力された映像信号は、信号混合部ｅ１の映像信号入力コネクタｌ７〜ｌ１２に入力され、この映像信号から音声信号が分離されて音声入出力コネクタｒ１，ｒ２から出力されて、音声入出力部４４に入力される。また、音声入出力部４４からの音声信号（外部インターカムオーディオ信号、インターカムマイク音声信号）は、音声入出力コネクタｒ１，ｒ２に入力される。
【００３４】
図７で示す操作パネルで設定されたタリー信号は、映像選択部ｆ１のタリー信号出力コネクタｐ１から出力されて、ケーブルｋ１を介して、信号混合部ｅ１のタリー信号入力コネクタｐ２に入力される。また、映像選択部ｆ１で選択された映像信号（プログラム出力信号）は、映像選択部ｆ１の選択映像出力コネクタｏ１から出力され、ケーブルｊ１を介して、信号混合部ｅ１の選択映像入力コネクタｍ１に入力される。ここに入力された映像信号は、図１０に示すように、タリー信号及び音声信号と混合された後、信号混合部ｅ１の映像信号出力コネクタｌ１〜ｌ６から、ケーブルｈ１，ｈ２を介してビューファインダー５に入力される。このような構成によって、１本のケーブルｉ１，ｉ２を用いて映像信号、タリー信号、及び音声信号と送ることで可能になり、配線の手間を少なくすることができる。
【００３５】
従来のスイッチャーシステムでは、ビューファインダーにはインターカム音声がなく、現場のカメラマンがリターン音声やオンエアーの音声を聞く為に別のケーブルを配線しなければならなかった。本実施形態の構成によれば、このような別のケーブルを配線しなくても、リターン音声やオンエアーの音声を聞くことができる。またタリー信号も一本で送れる。
【００３６】
ビデオ三脚４５のパーン棒に装着されたズームリモコンｙからの制御信号は、ズームリモコンケーブルｚ１を介してズームリモコン入力コネクタｓ２に入力される。ズームリモコン入力コネクタｓ２は、本来はビデオカメラに直接接続されるリモコンをスイッチャー３に装着するためのコネクタである。ズームリモコン入力コネクタｓ２に接続するリモコンとしては、リターン信号に加えてズーム調整を行う信号や、録画のスタート／ストップを操作する信号も出力する図１２のリモコン８０であってもよく、リターン信号のみを出力する図１３に示すようなペン型スイッチリモコン９０であってもよい。さらに、ズームリモコンスルー出力コネクタｓ１からの出力（リターン信号が除かれた制御信号、図１１の回路を参照）がズームリモコンケーブルｚ２を介してビデオカメラのレンズのズームリモコン入力端子に入力される。
【００３７】
ビューファインダー５とその周辺の機器をこのような接続すると、リモコンｙから出力されたリターン信号がビデオカメラではなくスイッチャー３に入力され、スイッチャー３では、このリターン信号に基づいて、出力する映像の切替えが行われる。このような構成により、どのビデオカメラからの映像をスイッチャー３から出力させるのかを容易に制御することができ、一人二カメを容易に実現することができる。
【００３８】
また、本実施形態では、ズームリモコンからのリターン信号をスイッチャー３に入力する場合を例に挙げたが、スイッチャー３に入力する制御信号の種類は特に限定されない。例えば、図７に示す操作パネルと同様の機能を持ったリモートコントローラをビデオカメラ１１の近傍に配置して撮影を行っているカメラマンがスイッチャー３を制御できるようにしてもよい。また、リモートコントローラは無線でスイッチャー３に制御信号を送ることができるものであってもよい。
【符号の説明】
【００３９】
１：スイッチャーシステム
５：ビューファインダー  
１１：ビデオカメラ
４３，４４：音声入出力部（インターカムヘッドセット）
４５：ビデオ三脚
４７，ｈ１，ｈ２，ｉ１，ｉ２，ｊ１，ｋ１、ｚ１，ｚ２：ケーブル
４８：本体部
４９，５９：タリー表示部
５１：液晶表示部
５３：ブライト調整機能
５５：コントラスト調整機能
５７：ピーキング調整機能
６１：カメラデジタル映像（ＨＤ−ＳＤＩ）出力コネクタ
６３：カメラデジタル映像（ＨＤ−ＳＤＩ）入力コネクタ
６５：外部デジタル映像（スイッチャーからのリターン映像、ＨＤ−ＳＤＩ）入力コネクタ
６７，６９：アナログオーディオコネクタ
７１：タリー入力コネクタ
７３：電源（ＤＣ）入力端子
ｅ１：信号混合部（変換ボックス）
ｆ１：映像選択部（スイッチャーコネクタパネル）
ｌ１〜ｌ６：信号混合部ｅ１の映像信号出力コネクタ
ｌ７〜ｌ１２：信号混合部ｅ１の映像信号入力コネクタ
ｍ１：選択映像入力コネクタ
ｎ１〜ｎ６：映像信号入力コネクタ
ｎ７〜ｎ１２：映像信号スルー出力コネクタ
ｏ１，ｏ２：選択映像出力コネクタ
ｐ１：タリー信号出力コネクタ
ｐ２：タリー信号入力コネク
ｑ１：電源入力コネクタ
ｒ１：外部インターカム接続コネクタ
ｒ２：インターカムヘッドセットコネクタ
ｓ１：ズームリモコン出力コネクタ
ｓ２：ズームリモコン入力コネクタ
ｔ１：電源スイッチ
ｕ１：オートテイクスイッチ
ｖ１：オートテイクレバー
ｗ１：ワイプボタン
ｗ２：ミックスボタン
ｘ１：プログラム列カメラ１選択ボタン  
ｘ２：プログラム列カメラ２選択ボタン  
ｘ３：プログラム列カメラ３選択ボタン
ｘ４：プログラム列カメラ４選択ボタン  
ｘ５：プログラム列カメラ５選択ボタン  
ｘ６：プレビュー列カメラ６選択ボタン  
ｙ１：プレビュー列カメラ１選択ボタン  
ｙ２：プレビュー列カメラ２選択ボタン  
ｙ３：プレビュー列カメラ３選択ボタン
ｙ４：プレビュー列カメラ４選択ボタン  
ｙ５：プレビュー列カメラ５選択ボタン  
ｙ６：プレビュー列カメラ６選択ボタン  
８０：ズームリモコン
９０：ペン型スイッチ
ｙ：ズームリモコン
【図１】
2012014917.tif 000003
【図２】
2012014917.tif 000004
【図３】
2012014917.tif 000005
【図４】
2012014917.tif 000006
【図５】
2012014917.tif 000007
【図６】
2012014917.tif 000008
【図７】
2012014917.tif 000009
【図８】
2012014917.tif 000010
【図９】
2012014917.tif 000011
【図１０】
2012014917.tif 000012
【図１１】
2012014917.tif 000013
【図１２】
2012014917.tif 000014
【図１３】
2012014917.tif 000015
【手続補正書】
【提出日】平成23年11月18日(2011.11.18)
【手続補正１】
【補正対象書類名】特許請求の範囲
【補正対象項目名】全文
【補正方法】変更
【補正の内容】
【特許請求の範囲】
【請求項１】
スイッチャーと、複数のビューファインダーとを備えるスイッチャーシステムであって、
前記スイッチャーは、タリー信号が重畳されたデジタル映像信号を出力し、
前記ビューファインダーのそれぞれは、前記デジタル映像信号の入力を受け付ける外部デジタル映像入力部と、前記デジタル映像信号に重畳されたタリー信号に基づいてタリー表示を制御するタリー表示制御部とを備えるスイッチャーシステム。
【請求項２】
前記スイッチャーは、複数のデジタル映像信号の入力を受け付けるデジタル映像入力部と、前記デジタル映像入力部に入力されたデジタル映像信号のうちの一つを選択する映像選択部と、前記映像選択部が選択したデジタル映像信号に対して識別子を含むタリー信号を重畳させる信号重畳部と、前記タリー信号が重畳されたデジタル映像信号を出力するデジタル映像出力部とを備える請求項１に記載のシステム。
【請求項３】
前記識別子は、前記デジタル映像信号を出力したビデオカメラの識別子である請求項２に記載のシステム。
【請求項４】
前記ビューファインダーのそれぞれは、自己の識別子を記憶する記憶部をさらに備え、
前記タリー表示制御部は、前記タリー信号中の識別子が、前記記憶部に記憶された識別子と一致した場合にタリー表示を点灯させる請求項２に記載のシステム。
【請求項５】
前記スイッチャーは、制御信号の入力を受け付ける制御信号入力部をさらに備え、
前記映像選択部は、前記制御信号に基づいてデジタル映像信号の選択を行う請求項２に記載のシステム。
【請求項６】
前記タリー信号は、発光色情報を含み、
前記タリー表示制御部は、前記発光色情報に基づいて前記タリー表示の発光色を制御する請求項１に記載のシステム。
【請求項７】
前記デジタル映像信号は、ＳＤＩ信号である請求項１に記載のシステム。
【請求項８】
前記スイッチャーは、音声信号の入力を受け付ける音声入力部をさらに備え、
前記スイッチャーの前記信号重畳部は、前記デジタル映像信号に対して音声信号を重畳させ、前記スイッチャーの前記デジタル映像出力部は、前記タリー信号及び前記音声信号が重畳されたデジタル映像信号を出力し、
前記ビューファインダーのそれぞれは、前記デジタル映像信号に重畳された音声信号に基づく音声を出力する音声出力部をさらに備える請求項１に記載のシステム。
【請求項９】
前記ビューファインダーのそれぞれは、ビデオカメラからのデジタル映像信号の入力を受け付けるカメラデジタル映像入力部と、音声信号の入力を受け付ける音声入力部と、前記デジタル映像信号に対して前記音声信号を重畳させる信号重畳部と、前記音声信号が重畳されたデジタル映像信号を出力するカメラデジタル映像出力部をさらに備え、
前記スイッチャーは、前記デジタル映像信号に重畳された音声信号に基づく音声を出力する音声出力部をさらに備える請求項１に記載のシステム。
【請求項１０】
前記外部デジタル映像入力部は、ＢＮＣコネクタを備える請求項１に記載のシステム。
【請求項１１】
前記ビューファインダーのそれぞれは、ビデオカメラからのデジタル映像信号の入力を受け付けるカメラデジタル映像入力部と、制御信号の入力を受け付ける制御信号入力部と、前記制御信号に基づいて前記ビデオカメラからのデジタル映像信号による映像と前記外部デジタル映像入力部からのデジタル映像信号による映像の何れかを選択する映像選択部と、前記映像選択部が選択した映像の表示を制御する表示制御部とを備える請求項１に記載のシステム。
【請求項１２】
タリー信号が重畳された外部デジタル映像信号の入力を受け付ける外部デジタル映像入力部と、前記外部デジタル映像信号に重畳されるタリー信号に基づいてタリー表示を制御するタリー表示制御部とを備えるビューファインダーであって、
前記タリー信号は、識別子を含み、
前記ビューファインダーは、前記ビューファインダーを取り付けるビデオカメラの識別子を記憶する記憶部を備え、
前記タリー表示制御部は、前記タリー信号中の識別子と、前記記憶部に記憶されている識別子を照合し、これらが一致した場合に、前記タリー信号に基づいてタリー表示を制御する、ビューファインダー。
【国際調査報告】
2012014917.tif 000016
2012014917.tif 000017